(57)【特許請求の範囲】
【請求項１】
複数の外部ネットワークの何れかに接続されているアンカーゲートウェイ装置であって、移動端末が前記外部ネットワークへアクセスする際の通信パケットの中継を行なうアンカーゲートウェイ装置を有する移動通信システムであって、
前記移動端末が、
前記アンカーゲートウェイ装置の識別情報を格納する情報媒体から媒体記憶情報を読み取る情報取得インターフェース部と、
前記読み取った媒体記憶情報内に通信を行なうことを示す通信設定情報が格納されているかを判定し、当該通信設定情報が格納されている場合に、当該媒体記憶情報内から前記アンカーゲートウェイ装置の識別子を抽出する接続情報解析部と、
前記抽出したアンカーゲートウェイ装置の識別子で特定される前記アンカーゲートウェイ装置を介した前記外部ネットワークとの接続要求を、前記アンカーゲートウェイ装置との伝送路確立処理を行なうモビリティ管理ノードへ送信する伝送路生成部と、
を備えることを特徴とする移動通信システム。
【請求項２】
前記接続情報解析部は、前記媒体記憶情報から通信ポリシー情報を抽出し、
前記伝送路生成部は、前記通信ポリシー情報を格納した前記接続要求を、前記モビリティ管理ノードへ送信する
ことを特徴とする請求項１に記載の移動通信システム。
【請求項３】
前記伝送路生成部は、接続要求の開始の指示の入力に基づいて、前記接続要求を、前記アンカーゲートウェイ装置との伝送路確立処理を行なうモビリティ管理ノードへ送信することを特徴とする請求項１または請求項２に記載の移動通信システム。
【請求項４】
前記接続情報解析部は、前記アンカーゲートウェイ装置の識別子の抽出に基づいて前記伝送路生成部へ接続開始通知を出力し、
前記伝送路生成部は、前記接続開始通知の入力に基づいて、直ちに、前記接続要求を、前記アンカーゲートウェイ装置との伝送路確立処理を行なうモビリティ管理ノードへ送信する
ことを特徴とする請求項１または請求項２に記載の移動通信システム。
【請求項５】
前記接続情報解析部は、前記媒体記憶情報からアプリケーション実行用情報を抽出し、
前記アプリケーション実行用情報に基づいて、当該情報が示すアプリケーションを実行するアプリケーション実行部と、
を備えることを特徴とする請求項１から請求項４の何れかに記載の移動通信システム。
【請求項６】
複数の外部ネットワークの何れかに接続されているアンカーゲートウェイ装置であって、移動端末が前記外部ネットワークへアクセスする際の通信パケットの中継を行なうアンカーゲートウェイ装置を有する移動通信システムであって、
前記移動端末が、
前記アンカーゲートウェイ装置の識別情報を格納するＵＩＣＣ（Universal Integrated Circuit Card）を挿入可能な複数のＵＩＣＣのスロットと、
前記ＵＩＣＣのスロットに挿入された前記ＵＩＣＣから抽出した、前記複数のＵＩＣＣの識別情報と前記アンカーゲートウェイ装置の識別子とを、対応付けて記憶するデータベースと、
予め設定されているＵＩＣＣを選択する条件に基づいて前記複数のＵＩＣＣを自動的に選択して、当該選択したＵＩＣＣに対応する前記アンカーゲートウェイ装置の識別子を前記データベースから取得するＵＩＣＣ選択部と、を備え、
前記取得したアンカーゲートウェイ装置の識別子で特定される前記アンカーゲートウェイ装置を介した前記外部ネットワークとの接続要求を、前記アンカーゲートウェイ装置との伝送路確立処理を行なうモビリティ管理ノードへ送信する伝送路生成部と、
を備えることを特徴とする移動通信システム。
【請求項７】
前記ＵＩＣＣに登録されている、前記ＵＩＣＣの識別情報と前記アンカーゲートウェイ装置の識別子とを対応付けて前記データベースへ登録するＵＩＣＣ登録部と、
を備えることを特徴とする請求項６に記載の移動通信システム。
【請求項８】
複数の外部ネットワークの何れかに接続されているアンカーゲートウェイ装置であって、移動端末が前記外部ネットワークへアクセスする際の通信パケットの中継を行なうアンカーゲートウェイ装置を有する移動通信システムにおける通信方法であって、
前記移動端末の情報取得インターフェース部が、前記アンカーゲートウェイ装置の識別情報を格納する情報媒体から媒体記憶情報を読み取り、
前記移動端末の接続情報解析部が、前記読み取った媒体記憶情報内に通信を行なうことを示す通信設定情報が格納されているかを判定し、当該通信設定情報が格納されている場合に、当該媒体記憶情報内から前記アンカーゲートウェイ装置の識別子を抽出し、
前記移動端末の伝送路生成部が、前記抽出したアンカーゲートウェイ装置の識別子で特定される前記アンカーゲートウェイ装置を介した前記外部ネットワークとの接続要求を、前記アンカーゲートウェイ装置との伝送路確立処理を行なうモビリティ管理ノードへ送信する
ことを特徴とする通信方法。
【請求項９】
複数の外部ネットワークの何れかに接続されているアンカーゲートウェイ装置であって、移動端末が前記外部ネットワークへアクセスする際の通信パケットの中継を行なうアンカーゲートウェイ装置を有する移動通信システムにおける前記移動端末であって、
前記アンカーゲートウェイ装置の識別情報を格納する情報媒体から媒体記憶情報を読み取る情報取得インターフェース部と、
前記読み取った媒体記憶情報内に通信を行なうことを示す通信設定情報が格納されているかを判定し、当該通信設定情報が格納されている場合に、当該媒体記憶情報内から前記アンカーゲートウェイ装置の識別子を抽出する接続情報解析部と、
前記抽出したアンカーゲートウェイ装置の識別子で特定される前記アンカーゲートウェイ装置を介した前記外部ネットワークとの接続要求を、前記アンカーゲートウェイ装置との伝送路確立処理を行なうモビリティ管理ノードへ送信する伝送路生成部と、
を備えることを特徴とする移動端末。
【請求項１０】
複数の外部ネットワークの何れかに接続されているアンカーゲートウェイ装置であって、移動端末が前記外部ネットワークへアクセスする際の通信パケットの中継を行なうアンカーゲートウェイ装置を有する移動通信システムにおける前記移動端末のコンピュータを、
前記アンカーゲートウェイ装置の識別情報を格納する情報媒体から媒体記憶情報を読み取る手段、
前記読み取った媒体記憶情報内に通信を行なうことを示す通信設定情報が格納されているかを判定し、当該通信設定情報が格納されている場合に、当該媒体記憶情報内から前記アンカーゲートウェイ装置の識別子を抽出する手段、
前記抽出したアンカーゲートウェイ装置の識別子で特定される前記アンカーゲートウェイ装置を介した前記外部ネットワークとの接続要求を、前記アンカーゲートウェイ装置との伝送路確立処理を行なうモビリティ管理ノードへ送信する手段、
として機能させることを特徴とするプログラム。
【発明の詳細な説明】
【技術分野】
【０００１】
本発明は、３ＧＰＰ（３ｒｄ Ｇｅｎｅｒａｔｉｏｎ Ｐａｒｔｎｅｒｓｈｉｐ  Ｐｒｏｊｅｃｔ）などで検討されている移動通信システム及び通信方法、移動端末とそのプログラムに関する。
【背景技術】
【０００２】
図１は、３ＧＰＰにおける移動通信システムの構成を示す図である。
図１に示す移動通信システムにおいて、コアネットワーク１０は、主に移動通信サービスを提供するオペレータにより管理されるネットワークである。コアネットワーク１０は、例えば、Ｅｖｏｌｖｅｄ  Ｐａｃｋｅｔ  Ｃｏｒｅ（ＥＰＣ）、あるいはＵＭＴＳ（Ｕｎｉｖｅｒｓａｌ Ｍｏｄｅ Ｔｅｌｅｃｏｍｍｕｎｉｃａｔｉｏｎｓ Ｓｙｓｔｅｍ）のパケット交換コアネットワークを想定している（なお、ＥＰＣおよびＵＭＴＳの両者の違いは移動通信システムの世代による違いである）。
【０００３】
また、移動通信システムにおいて、外部ネットワーク２０は、アンカーＧＷ２００を介してコアネットワーク１０が接続するＩＰ（Ｉｎｔｅｒｎｅｔ Ｐｒｏｔｏｃｏｌ）ネットワークである。外部ネットワーク２０としては、例えば、インターネットや、企業ネットワーク、ホームネットワークが挙げられる。外部ネットワーク２０は、コアネットワーク１０と同じ管理者が管理するネットワークの場合もある。
【０００４】
また、コアネットワーク１０内のアンカーＧＷ（Ｇａｔｅｗａｙ）２００は、移動端末１００が無線基地局を移動した場合や、異なる無線アクセス網へ移動した場合のアンカーとなるゲートウェイである。また、コアネットワーク１０と外部ネットワーク２０とを接続するためのゲートウェイとしても動作し、外部ネットワーク２０から移動端末１００のアドレス宛のパケットを受信した場合、アンカーＧＷ２００は当該パケットを、移動端末１００へ転送する機能も有する。図１においてアンカーＧＷ２００は、コアネットワーク１０内に備えられるように図示しているが、外部ネットワーク２０内に備えられる場合もある。
【０００５】
また、ポリシー制御ノード３００は、アンカーＧＷ２００に対し、移動端末１００へのパケット転送におけるポリシー（ＱｏＳ優先度クラス情報や課金情報など）を決定し、当該ポリシーに基づく通信制御を行なう機能を持つ。
また、認証サーバ７００は、移動端末１００や、その所有者（加入者）に関連づけられた情報を保持し、移動端末１００の認証処理を実施する際に必要な鍵情報を保持する。図１では、認証サーバ７００はコアネットワーク１０内に備えられているが、外部ネットワーク２０内にも、さらに備えられるようにしてもよい。この場合、コアネットワーク１０内に配置されている認証サーバは、外部ネットワーク２０内に配置されている認証サーバの代理認証サーバとして動作する。認証サーバ７００は、移動端末１００が無線基地局６００に接続した際に、モビリティ管理ノード５００を介して移動端末１００の認証処理を行なう。
【０００６】
また、アクセスＧＷ４００は、モビリティ管理ノード５００の要求に応じて、アンカーＧＷ２００とアクセスＧＷ４００間、およびアクセスＧＷ４００と移動端末１００の間のＩＰパケット伝送路を確立する処理を行なう。結果として、アンカーＧＷ２００と移動端末１００間でＩＰパケット転送可能な伝送路が確立される。
また、モビリティ管理ノード５００は、移動端末１００の認証サーバ７００による認証処理を仲介すると共に、認証サーバ７００によって当該移動端末１００に関連づけられた情報をダウンロードする。モビリティ管理ノード５００は、ここで得られた情報に基づき、アクセスＧＷ４００に対して、アンカーＧＷ２００と移動端末１００間で送受信される前記ＩＰパケットを転送可能な伝送路の確立を要求する。
【０００７】
また、無線基地局６００は、無線アクセス技術により移動端末１００と無線接続する機能を有する無線基地局である。
また、移動端末１００は、無線インターフェースを備え、無線基地局６００と無線アクセス技術により接続する。移動端末１００は、無線基地局６００に接続後、アンカーＧＷ２００と移動端末１００との間に張られたＩＰパケット伝送用の伝送路を使って、外部ネットワーク２０上の通信ノードとＩＰによる通信が可能となる。
【０００８】
なお、３ＧＰＰのＥＰＣにおいては、移動端末１００はＵＥ（Ｕｓｅｒ Ｅｑｕｉｐｍｅｎｔ）、アンカーＧＷ２００はＰＤＮ−ＧＷ（Ｐａｃｋｅｔ Ｄａｔａ Ｎｅｔｗｏｒｋ−Ｇａｔｅｗａｙ）、ポリシー制御ノード３００はＰＣＲＦ（Ｐｏｌｉｃｙａｎｄ ＣｈａｒｇｉｎｇＲｕｌｅｓ Ｆｕｎｃｔｉｏｎ）、アクセスＧＷ４００はＳ−ＧＷ（Ｓｅｒｖｉｎｇ−Ｇａｔｅｗａｙ）、モビリティ管理ノード５００はＭＭＥ（ＭｏｂｉｌｉｔｙＭａｎａｇｅｍｅｎｔＥｎｔｉｔｙ）、無線基地局６００はｅＮＢ（ｅｎｈａｎｃｅｄ ＮｏｄｅＢ）、認証サーバ７００はＨＳＳ（Ｈｏｍｅ Ｓｕｂｓｃｒｉｂｅｒ Ｓｅｒｖｅｒ）、と呼ばれている。また３ＧＰＰにおいて、無線アクセス技術にはＬＴＥ（Ｌｏｎｇ Ｔｅｒｍ Ｅｖｏｌｕｔｉｏｎ）が用いられている。
【０００９】
図１６は移動端末がネットワークに接続した際の処理を示すシーケンス図である。
図１に示した３ＧＰＰの移動通信システムにおいて、移動端末１００がコアネットワーク１０を経由して外部ネットワーク２０に接続するまでの流れを、図１６のシーケンス図を用いて説明する。
説明の便宜上、一部の手順を省略して説明する。
まずステップＳ６００で、移動端末１００は、無線リンクレベルで、無線基地局６００に接続し、制御信号を送受信するための無線リンクを確立する。
次にステップＳ６０１で、移動端末１００はモビリティ管理ノード５００に対し接続要求を送信する。この接続要求には移動端末１００の識別情報が含まれる。なお、コアネットワーク１０が移動端末１００に対して接続先のアンカーＧＷ２００を割り当てる代わりに、移動端末１００が接続先のアンカーＧＷ２００を選択する場合は、この接続要求にはアンカーＧＷ２００を識別する情報（以後アンカーＧＷ識別子と称す）が格納される。３ＧＰＰでは、このアンカーＧＷ識別子を、ＡＰＮ（ＡｃｃｅｓｓＰｏｉｎｔＮａｍｅ）と呼ぶ。
【００１０】
図１７はＡＰＮのデータ構成を示す図である。
この図が示すように、ＡＰＮはアンカーＧＷを識別するＡＰＮネットワーク識別子（必須ラベル）と外部ネットワークの事業者を示すＡＰＮ事業者識別子（オプション）で構成されている。
図１６で示す様に、移動端末１００が外部ネットワーク２０に接続する場合には、移動端末１００は外部ネットワーク２０と接続しているアンカーＧＷ２００のアンカーＧＷ識別子をモビリティ管理ノード５００に通知する必要がある。接続要求には他にも様々な情報が格納されるが、ここでの説明には直接関係しないので省略する。以降の説明においても、信号に含まれる情報の中で必要なものだけを説明する。
【００１１】
次にステップＳ６０２で、移動端末１００、無線基地局６００、モビリティ管理ノード５００、認証サーバ７００が関わる認証処理および通信の秘匿化処理が実施される。この結果、移動端末１００とコアネットワーク１０はお互いを認証し、さらに移動端末１００とモビリティ管理ノード５００との間で制御信号を秘匿化し、完全性を確保するための鍵が共有される。また、移動端末１００と無線基地局６００との間でも無線区間のデータおよび制御信号を秘匿化し、完全性を確保するための鍵が共有される。
【００１２】
次にステップＳ６０３で、モビリティ管理ノード５００は、移動端末１００とアクセスＧＷ４００間の伝送路を確立するために、アクセスＧＷ４００にベアラ設定要求を送信する。当該ベアラ設定要求の信号にはアンカーＧＷ２００のアドレスや、適切な伝送路とするための設定値が格納される。
次にステップＳ６０４で、ベアラ設定要求を受信したアクセスＧＷ４００は、当該要求に格納されたアンカーＧＷのアドレスを使ってアンカーＧＷ２００に経路設定要求を送信する。
次にステップＳ６０５で、アンカーＧＷ２００は、移動端末１００にＩＰパケットを転送する際の転送ポリシーの設定をポリシー制御ノード３００に対して要求し、その結果ポリシー制御ノード３００はアンカーＧＷ２００に転送ポリシー情報を出力する。
次にステップＳ６０６では、アンカーＧＷ２００は経路設定要求の応答として経路設定応答をアクセスＧＷ４００に送信する。この結果アクセスＧＷ４００とアンカーＧＷ２００間にＩＰパケット転送のための伝送路が確立される。
【００１３】
また次に、ステップＳ６０７では、アクセスＧＷ４００が前記ベアラ設定要求への応答としてベアラ設定応答をモビリティ管理ノード５００に送信する。
次にステップＳ６０８では、モビリティ管理ノード５００から、アクセスＧＷ４００と無線基地局６００間でＩＰパケットを転送する伝送路を確立するための経路設定要求を無線基地局６００に送信する。
次にステップＳ６０９で、モビリティ管理ノード５００は、接続完了通知を移動端末１００に送信する。
そして、次に、ステップＳ６１０で、データパケットをやり取りするための無線リンクの設定が行われる。
以上の処理により、移動端末１００は、コアネットワーク１０を経由して外部ネットワーク２０への接続が可能となり、外部ネットワーク２０上の通信ノードとＩＰ通信することが可能となる。
【００１４】
図１８は移動端末を示す図である。
次に、図１８を用いて、図１に示した３ＧＰＰの移動通信システムにおいて、図１６のシーケンスに示した移動端末１００が、コアネットワーク１０を経由して外部ネットワーク２０に接続するための、移動端末１００の機能構成を説明する。なお、背景技術に関係しない機能や、説明に不要な機能や格納情報は省略している。
移動端末１００は、図１８に示すように、ネットワーク通信インターフェース１０１と、伝送路生成部１０２と、アンカーＧＷ管理データベース（ＤＢ）１０３と、アンカーＧＷ選択部１０４から構成される。
【００１５】
ネットワーク通信インターフェース１０１は、移動端末１００とアンカーＧＷ２００との間で論理的に構築された伝送路により、移動端末１００とＩＰパケットの送受信を行うためのインターフェースである。
また、伝送路生成部１０２は、移動端末１００のネットワーク通信インターフェース１０１とアンカーＧＷ２００との間で伝送路を構築するために、モビリティ管理ノード５００へＳ６０１の処理により接続要求を送信し、認証サーバ７００と認証・通信秘匿化処理Ｓ６０２を実行する処理部である。
また、アンカーＧＷ管理ＤＢ１０３は、アンカーＧＷ２００のアンカーＧＷ識別子を管理するＤＢである。アンカーＧＷ管理ＤＢ１０３へのアンカーＧＷ識別子の登録は、ユーザが手動で登録する。
また、アンカーＧＷ選択部１０４は、移動端末１００が接続するアンカーＧＷ２００のアンカーＧＷ識別子をアンカーＧＷ管理ＤＢ１０３から取得し、伝送路生成部１０２へ通知する機能を持つ。アンカーＧＷ選択部１０４がアンカーＧＷ管理ＤＢ１０３からアンカーＧＷ識別子を選択する方法は、ユーザが事前に接続時にどのアンカーＧＷ識別子を使用するか設定することによる。
そして、上述したような、移動通信システムにおいて、移動端末がアンカーＧＷ装置に接続する技術が特許文献１に開示されている。
【先行技術文献】
【特許文献】
【００１６】
【特許文献１】特開２００９−２７４７８号公報
【発明の概要】
【発明が解決しようとする課題】
【００１７】
上述したシステムでは、移動端末１００が接続先のアンカーＧＷ２００を指定する場合、移動端末１００がコアネットワーク１０に接続する前に、接続したいアンカーＧＷ２００の識別子を移動端末１００のアンカーＧＷ管理ＤＢ１０３に登録し、アンカーＧＷ選択部１０４によって接続したいアンカーＧＷを指定される必要がある。このような処理によってアンカーＧＷ２００を選択する方法では、移動端末１００が接続先の外部ネットワーク２０を頻繁に切り替えて使うようになる場合、ユーザは接続先の外部ネットワーク２０を切り替えようとする度に、接続先のアンカーＧＷ２００の登録・指定の作業を頻繁に行わなければならないという問題がある。
【００１８】
そこでこの発明は、アンカーＧＷ２００の登録・指定の作業をユーザが頻繁に行なわずとも、所望の接続先のアンカーＧＷ２００を選択することのできる移動通信システム及び通信方法、移動端末とそのプログラムを提供することを目的としている。
【課題を解決するための手段】
【００１９】
上記目的を達成するために、本発明は、複数の外部ネットワークの何れかに接続されているアンカーゲートウェイ装置であって、移動端末が前記外部ネットワークへアクセスする際の通信パケットの中継を行なうアンカーゲートウェイ装置を有する移動通信システムであって、前記移動端末が、前記アンカーゲートウェイ装置の識別情報を格納する情報媒体から媒体記憶情報を読み取る情報取得インターフェース部と、前記読み取った媒体記憶情報内に通信を行なうことを示す通信設定情報が格納されているかを判定し、当該通信設定情報が格納されている場合に、当該媒体記憶情報内から前記アンカーゲートウェイ装置の識別子を抽出する接続情報解析部と、前記抽出したアンカーゲートウェイ装置の識別子で特定される前記アンカーゲートウェイ装置を介した前記外部ネットワークとの接続要求を、前記アンカーゲートウェイ装置との伝送路確立処理を行なうモビリティ管理ノードへ送信する伝送路生成部と、を備えることを特徴とする移動通信システムである。
【００２０】
また本発明は、上述の移動通信システムにおいて、前記接続情報解析部は、前記媒体記憶情報から通信ポリシー情報を抽出し、前記伝送路生成部は、前記通信ポリシー情報を格納した前記接続要求を、前記モビリティ管理ノードへ送信することを特徴とする。
【００２１】
また本発明は、上述の移動通信システムにおいて、前記抽出したアンカーゲートウェイ装置の識別子を、アンカーゲートウェイデータベースへ登録する接続先アンカーゲートウェイ登録部と、を備えることを特徴とする。
【００２２】
また本発明は、上述の移動通信システムにおいて、前記伝送路生成部は、接続要求の開始の指示の入力に基づいて、前記接続要求を、前記アンカーゲートウェイ装置との伝送路確立処理を行なうモビリティ管理ノードへ送信することを特徴とする。
【００２３】
また本発明は、上述の移動通信システムにおいて、前記接続情報解析部は、前記アンカーゲートウェイ装置の識別子を抽出に基づいて前記伝送路生成部へ接続開始通知を出力し、前記伝送路生成部は、前記接続開始通知の入力に基づいて、直ちに、前記接続要求を、前記アンカーゲートウェイ装置との伝送路確立処理を行なうモビリティ管理ノードへ送信することを特徴とする。
【００２４】
また本発明は、上述の移動通信システムにおいて、前記接続情報解析部は、前記媒体記憶情報からアプリケーション実行用情報を抽出し、前記アプリケーション実行用情報に基づいて、当該情報が示すアプリケーションを実行するアプリケーション実行部と、を備えることを特徴とする。
【００２５】
また本発明は、複数の外部ネットワークの何れかに接続されているアンカーゲートウェイ装置であって、移動端末が前記外部ネットワークへアクセスする際の通信パケットの中継を行なうアンカーゲートウェイ装置を有する移動通信システムであって、前記移動端末が、前記アンカーゲートウェイ装置の識別情報を格納するＵＩＣＣ（Universal Integrated Circuit Card）を挿入可能な複数のＵＩＣＣのスロットと、前記ＵＩＣＣのスロットに挿入された前記ＵＩＣＣから抽出した、前記複数のＵＩＣＣの識別情報と前記アンカーゲートウェイ装置の識別子とを、対応付けて記憶するデータベースと、予め設定されているＵＩＣＣを選択する条件に基づいて前記複数のＵＩＣＣを自動的に選択して、当該選択したＵＩＣＣに対応する前記アンカーゲートウェイ装置の識別子を前記データベースから取得するＵＩＣＣ選択部と、を備え、前記取得したアンカーゲートウェイ装置の識別子で特定される前記アンカーゲートウェイ装置を介した前記外部ネットワークとの接続要求を、前記アンカーゲートウェイ装置との伝送路確立処理を行なうモビリティ管理ノードへ送信する伝送路生成部と、を備えることを特徴とする移動通信システムである。
【００２６】
また本発明は、上述の移動通信システムにおいて、前記ＵＩＣＣに登録されている、前記ＵＩＣＣの識別情報と前記アンカーゲートウェイ装置の識別子とを対応付けて前記データベースへ登録するＵＩＣＣ登録部と、を備えることを特徴とする。
【００２７】
また本発明は、複数の外部ネットワークの何れかに接続されているアンカーゲートウェイ装置であって、移動端末が前記外部ネットワークへアクセスする際の通信パケットの中継を行なうアンカーゲートウェイ装置を有する移動通信システムにおける通信方法であって、前記移動端末の情報取得インターフェース部が、前記アンカーゲートウェイ装置の識別情報を格納する情報媒体から媒体記憶情報を読み取り、前記移動端末の接続情報解析部が、前記読み取った媒体記憶情報内に通信を行なうことを示す通信設定情報が格納されているかを判定し、当該通信設定情報が格納されている場合に、当該媒体記憶情報内から前記アンカーゲートウェイ装置の識別子を抽出し、前記移動端末の伝送路生成部が、前記抽出したアンカーゲートウェイ装置の識別子で特定される前記アンカーゲートウェイ装置を介した前記外部ネットワークとの接続要求を、前記アンカーゲートウェイ装置との伝送路確立処理を行なうモビリティ管理ノードへ送信することを特徴とする通信方法である。
【００２８】
また本発明は、複数の外部ネットワークの何れかに接続されているアンカーゲートウェイ装置であって、移動端末が前記外部ネットワークへアクセスする際の通信パケットの中継を行なうアンカーゲートウェイ装置を有する移動通信システムにおける前記移動端末であって、前記アンカーゲートウェイ装置の識別情報を格納する情報媒体から媒体記憶情報を読み取る情報取得インターフェース部と、前記読み取った媒体記憶情報内に通信を行なうことを示す通信設定情報が格納されているかを判定し、当該通信設定情報が格納されている場合に、当該媒体記憶情報内から前記アンカーゲートウェイ装置の識別子を抽出する接続情報解析部と、前記抽出したアンカーゲートウェイ装置の識別子で特定される前記アンカーゲートウェイ装置を介した前記外部ネットワークとの接続要求を、前記アンカーゲートウェイ装置との伝送路確立処理を行なうモビリティ管理ノードへ送信する伝送路生成部と、を備えることを特徴とする移動端末である。
【００２９】
また本発明は、複数の外部ネットワークの何れかに接続されているアンカーゲートウェイ装置であって、移動端末が前記外部ネットワークへアクセスする際の通信パケットの中継を行なうアンカーゲートウェイ装置を有する移動通信システムにおける前記移動端末のコンピュータを、前記アンカーゲートウェイ装置の識別情報を格納する情報媒体から媒体記憶情報を読み取る手段、前記読み取った媒体記憶情報内に通信を行なうことを示す通信設定情報が格納されているかを判定し、当該通信設定情報が格納されている場合に、当該媒体記憶情報内から前記アンカーゲートウェイ装置の識別子を抽出する手段、前記抽出したアンカーゲートウェイ装置の識別子で特定される前記アンカーゲートウェイ装置を介した前記外部ネットワークとの接続要求を、前記アンカーゲートウェイ装置との伝送路確立処理を行なうモビリティ管理ノードへ送信する手段、として機能させることを特徴とするプログラムである。
【発明の効果】
【００３０】
本発明によれば、ユーザが接続したい外部ネットワーク２０のアンカーＧＷ２００の情報が格納されている情報媒体を近づける、または装着するという作業だけで、移動端末１００の接続先のアンカーＧＷ２００が選択されて、当該アンカーＧＷ２００との伝送路が確立され、そのアンカーＧＷ２００が接続される外部ネットワーク２００との通信接続を行なうことができるため、ユーザが接続先の外部ネットワークを切り替える際にユーザが設定すべき手順を簡略化させる事ができる。
また、情報媒体に格納する情報に、課金情報や通信品質などの通信ポリシー情報を追加する事により、ユーザが接続したい外部ネットワーク２００の接続情報が格納されている情報媒体を移動端末に近づけるまたは装着するという作業だけで、移動端末１００が外部ネットワーク２００に接続する際に通信ポリシーの設定も同時に行う事が可能となる。
また、情報媒体に格納する情報に、サービスに接続するための情報（起動アプリケーション名、接続先ＵＲＬ、ユーザＩＤとパスワード等）を追加する事により、ユーザが接続したいモバイルネットワークの接続情報が格納されている情報媒体をモバイル端末にかざす、または装着するだけで、自動にモバイルネットワークへ接続した後に、自動にサービスへの接続・ログインも可能となる。
【図面の簡単な説明】
【００３１】
【図１】移動通信システムの構成を示すブロック図である。
【図２】第１の実施形態における移動端末を示す図である。
【図３】第１の実施形態による媒体記憶情報のデータフォーマットを示す図である。
【図４】第１の実施の形態のフローチャートを示す図である。
【図５】第２の実施形態における移動端末を示す図である。
【図６】第２の実施形態による媒体記憶情報のデータフォーマットを示す図である。
【図７】第２の実施の形態におけるフローチャートを示す図である。
【図８】第３の実施形態における移動端末を示す図である。
【図９】第３の実施の形態におけるフローチャートを示す図である。
【図１０】第４の実施形態における移動端末を示す図である。
【図１１】第４の実施形態におけるフローチャートを示す図である。
【図１２】第５の実施形態における移動端末を示す図である。
【図１３】第５の実施の形態における媒体記憶情報のデータフォーマットを示す第１の図である。
【図１４】第５の実施の形態における媒体記憶情報のデータフォーマットを示す第２の図である。
【図１５】第５の実施形態におけるフローチャートを示す図である。
【図１６】移動端末がネットワークに接続した際の処理を示すシーケンス図である。
【図１７】ＡＰＮ（ＡｃｃｅｓｓＰｏｉｎｔＮａｍｅ）のデータ構成を示す図である。
【図１８】移動端末を示す図である。
【図１９】第６の実施形態における移動端末を示す図である。
【図２０】第６の実施形態におけるフローチャートを示す図である。
【図２１】第７の実施形態における移動端末を示す図である。
【発明を実施するための形態】
【００３２】
以下、本発明の一実施形態による移動通信システムを図面を参照して説明する。
図１は同実施形態による移動通信システムの構成を示すブロック図である。
図１に示す移動通信システムにおいて、コアネットワーク１０は、主に移動通信サービスを提供するオペレータにより管理されるネットワークである。コアネットワーク１０は、例えば、Ｅｖｏｌｖｅｄ  Ｐａｃｋｅｔ  Ｃｏｒｅ（ＥＰＣ）、あるいはＵＭＴＳ（Ｕｎｉｖｅｒｓａｌ Ｍｏｄｅ Ｔｅｌｅｃｏｍｍｕｎｉｃａｔｉｏｎｓ Ｓｙｓｔｅｍ）のパケット交換コアネットワークを想定している（なお、ＥＰＣおよびＵＭＴＳの両者の違いは移動通信システムの世代による違いである）。
【００３３】
また、移動通信システムにおいて、外部ネットワーク２０は、アンカーＧＷ２００を介してコアネットワーク１０が接続するＩＰ（Ｉｎｔｅｒｎｅｔ Ｐｒｏｔｏｃｏｌ）ネットワークである。外部ネットワーク２０としては、例えば、インターネットや、企業ネットワーク、ホームネットワークが挙げられる。外部ネットワーク２０は、コアネットワーク１０と同じ管理者が管理するネットワークの場合もある。
【００３４】
また、コアネットワーク１０内のアンカーＧＷ（Ｇａｔｅｗａｙ）２００は、移動端末１００が無線基地局を移動した場合や、異なる無線アクセス網へ移動した場合のアンカーとなるゲートウェイである。また、コアネットワーク１０と外部ネットワーク２０とを接続するためのゲートウェイとしても動作し、外部ネットワーク２０から移動端末１００のアドレス宛のパケットを受信した場合、アンカーＧＷ２００は当該パケットを、移動端末１００へ転送する機能も有する。図１においてアンカーＧＷ２００は、コアネットワーク１０内に備えられるように図示しているが、外部ネットワーク２０内に備えられる場合もある。
【００３５】
また、ポリシー制御ノード３００は、アンカーＧＷ２００に対し、移動端末１００へのパケット転送におけるポリシー（ＱｏＳ優先度クラス情報や課金情報など）を決定し、当該ポリシーに基づく通信制御を行なう機能を持つ。
また、認証サーバ７００は、移動端末１００や、その所有者（加入者）に関連づけられた情報を保持し、移動端末１００の認証処理を実施する際に必要な鍵情報を保持する。図１では、認証サーバ７００はコアネットワーク１０内に備えられているが、外部ネットワーク２０内にも、さらに備えられるようにしてもよい。この場合、コアネットワーク１０内に配置されている認証サーバは、外部ネットワーク２０内に配置されている認証サーバの代理認証サーバとして動作する。認証サーバ７００は、移動端末１００が無線基地局６００に接続した際に、モビリティ管理ノード５００を介して移動端末１００の認証処理を行なう。
【００３６】
また、アクセスＧＷ４００は、モビリティ管理ノード５００の要求に応じて、アンカーＧＷ２００とアクセスＧＷ４００間、およびアクセスＧＷ４００と移動端末１００の間のＩＰパケット伝送路を確立する処理を行なう。結果として、アンカーＧＷ２００と移動端末１００間でＩＰパケット転送可能な伝送路が確立される。
また、モビリティ管理ノード５００は、移動端末１００の認証サーバ７００による認証処理を仲介すると共に、認証サーバ７００によって当該移動端末１００に関連づけられた情報をダウンロードする。モビリティ管理ノード５００は、ここで得られた情報に基づき、アクセスＧＷ４００に対して、アンカーＧＷ２００と移動端末１００間で送受信される前記ＩＰパケットを転送可能な伝送路の確立を要求する。
【００３７】
また、無線基地局６００は、無線アクセス技術により移動端末１００と無線接続する機能を有する無線基地局である。
また、移動端末１００は、無線インターフェースを備え、無線基地局６００と無線アクセス技術により接続する。移動端末１００は、無線基地局６００に接続後、アンカーＧＷ２００と移動端末１００との間に張られたＩＰパケット伝送用の伝送路を使って、外部ネットワーク２０上の通信ノードとＩＰによる通信が可能となる。
【００３８】
＜第１の実施形態＞
図２は第１の実施形態における移動端末を示す図である。
第１の実施の形態における移動端末１００は、図２に示すように、ネットワーク通信インターフェース１０１と、伝送路生成部１１１と、アンカーＧＷ管理データベース（ＤＢ）１０３と、アンカーＧＷ選択部１０４と、情報取得インターフェース１１０と、接続情報解析部１２０と、接続先アンカーＧＷ設定部１３０の各処理部や記憶部を備えている。
【００３９】
ネットワーク通信インターフェース１０１は、移動端末１００とアンカーＧＷ２００との間で論理的に構築された伝送路により、ＩＰパケットの送受信を行うためのインターフェースである。
また、アンカーＧＷ管理ＤＢ１０３は、アンカーＧＷ２００のアンカーＧＷ識別子を記憶するＤＢである。アンカーＧＷ管理ＤＢ１０３へのアンカーＧＷ識別子の登録は、ユーザが手動で登録する。
また、アンカーＧＷ選択部１０４は、移動端末１００が接続するアンカーＧＷ２００のアンカーＧＷ識別子をアンカーＧＷ管理ＤＢ１０３から取得し、伝送路生成部１１１へ通知する機能を持つ。アンカーＧＷ選択部１０４がアンカーＧＷ管理ＤＢ１０３からアンカーＧＷ識別子を選択する方法は、ユーザが事前に接続時にどのアンカーＧＷ識別子を使用するかを設定することによる。
【００４０】
また、情報取得インターフェース１１０は、移動端末１００が情報媒体や通信機器からの情報（以後、媒体記憶情報と称す）の取得を可能とするためのインターフェースである。情報通信インターフェース１１０の例としては、ＩＣカード（ｉｎｔｅｇｒａｔｅｄ ｃｉｒｃｕｉｔ ｃａｒｄ）と通信するためのＩＳＯ/ＩＥＣ７８１６（接触型）機能を備えたインターフェースや、ＩＳＯ/ＩＥＣ １４４４３（非接触型）の機能を備えたインターフェース、赤外線通信のＩｒＤＡ（Ｉｎｆｒａｒｅｄ Ｄａｔａ Ａｓｓｏｃｉａｔｉｏｎ）の機能を備えたインターフェース、近距離無線通信のＢｌｕｅｔｏｏｔｈ（登録商標）、２次元バーコード、無線ＬＡＮの機能を備えたインターフェース等が適用できる。また、モバイルネットワークキャリアの加入者情報が格納されているＵＩＣＣ（ＵｎｉｖｅｒｓａｌＩｎｔｅｇｒａｔｅｄ Ｃｉｒｃｕｉｔ Ｃａｒｄ）を移動端末１００に装着して利用するようにしてもよい。また、情報取得インターフェース１１０は、情報媒体や通信機器との通信が暗号化されていた場合、復号処理も行う。
【００４１】
また図２の移動端末１００において、接続情報解析部１２０は、情報媒体に格納されている媒体記憶情報を読み取った情報取得インターフェース１１０より、当該媒体記憶情報を取得して解析し、当該取得した媒体記憶情報が、移動端末１００のネットワーク通信インターフェース１０１の通信設定に関する情報(以後、通信設定情報と称す)であった場合、その取得した媒体記憶情報の内容に応じて、該媒体記憶情報を、接続先アンカーＧＷ設定部１３０などの移動端末１００の各機能に情報のインプットを行なう機能部に通知する処理を行なう。
また、接続先アンカーＧＷ設定部１３０は、接続情報解析部１２０が解析した結果に接続先のアンカーＧＷに関する情報、つまりアンカーＧＷ識別子が含まれていた場合、取得したアンカーＧＷ識別子を伝送路生成部１１１に通知する処理を行なう。
また、伝送路生成部１１１は、移動端末１００のネットワーク通信インターフェース１０１とアンカーＧＷ２００との間で伝送路を構築する処理を行なう。なお、伝送路生成部１１１は、移動端末１００がモビリティ管理ノード５００に対し接続要求を送信する際に、接続先のアンカーＧＷ情報を接続先アンカーＧＷ設定部１３０から取得する。
【００４２】
図３は第１の実施形態による情報媒体に格納される媒体記憶情報のデータフォーマットを示す図である。
情報媒体に格納される媒体記憶情報のデータフォーマットは、複数のエリアに分かれており、先頭のエリア(８バイト)には、媒体記憶情報の種類を示す情報が格納されている。第１の実施形態では、媒体記憶情報のデータフォーマットが通信設定情報の場合、“ｎｅｔ：：”が格納されている。また、次のエリア（４バイト）には、媒体記憶情報に格納されている通信設定情報の種類を示す情報識別子が格納されている。第１の実施形態では、接続先のアンカーＧＷの情報が格納されている場合、“ａｐｎ：”の情報識別子が格納されている。
また、次のエリアには、前のエリアの情報識別子に基づいたデータが格納されている。データ長も前のエリアの情報識別子に基づく。第１の実施形態では、前のエリアに接続先アンカーＧＷを示す情報が格納されている場合、本エリアにはアンカーＧＷ識別子（データ長１００バイト）が格納される。アンカーＧＷ識別子は、例えば、“ｓｅｒｖｉｃｅｎｅｔ．ｃｏｍ”などの情報である。
【００４３】
図４は第１の実施の形態における、移動端末が情報媒体から情報を受信した際の動作を示すフローチャートを示す図である。
次に、図４のフローチャートを用いて本発明の移動端末１００の動作を説明する。
ここで、図４は、移動端末１００が、情報取得インターフェース１１０を介してデータを取得した際の処理を示している。
まず、情報取得インターフェース１１０が、情報媒体から媒体記憶情報を読み取り（ステップＳ１００）、当該読み取った媒体記憶情報を接続情報解析部１２０に送信する。次に、接続情報解析部１２０は、取得した媒体記憶情報のフォーマットが、通信設定情報を示しており、正しいフォーマットであるかをチェックする（ステップＳ１０１）。図３で示したフォーマットを例に挙げると、先頭８バイトのエリアに“ｎｅｔ：：”があるか、また、情報識別エリアの内容は正しいか、情報エリアの次のデータエリアの内容は正しいか等をチェックする。
【００４４】
次に、ステップＳ１０１の結果、正しい通信設定情報のフォーマットであると判定した場合、接続情報解析部１２０は、取得したデータから接続先のアンカーＧＷの情報を抽出し（ステップＳ１０２）、接続先アンカーＧＷ設定部１３０に送信する。この抽出の処理について図３で示したフォーマットを例にすると、“ａｐｎ：”エリアの次の“ｓｅｒｖｉｃｅｎｅｔ．ｃｏｍ”を抽出する。そして、接続先アンカーＧＷ設定部１３０が、接続情報解析部１２０から取得した接続先のアンカーＧＷの情報を伝送路生成部１１１へ通知する。伝送路生成部１１１は、接続するか否かの判断を求める画像を移動端末１００の画面に出力し、その結果、ユーザからの接続要求を開始する旨の入力を受け付けると、アンカーＧＷの情報を格納した接続要求を、モビリティ管理ノード５００に対し送信する（ステップＳ１０３）。そして、コアネットワーク１０では、移動端末１００と接続要求に格納されているアンカーＧＷ２００との間の伝送路を確立し、また、ポリシー制御ノード３００の処理により、接続要求に格納された通信ポリシーでアンカーＧＷ２００と移動端末１００との間の通信が行なわれる。
なお、ステップＳ１０１の結果、通信設定情報と判定されなかった場合は、接続情報解析部１２０は、情報取得インターフェース１１０の受信した媒体記憶情報が通信設定情報ではないと判断し、フォーマットエラーの通知を行う（ステップＳ１０４）。通知先は移動端末１００の実装方法毎に異なり、例えば、移動端末１００の画面に表示させる事も可能である。
【００４５】
＜第２の実施形態＞
図５は第２の実施形態における移動端末を示す図である。
次に、第２の実施形態における移動端末の処理について説明する。
第２の実施形態では、移動端末１００が、さらに通信ポリシー設定部１３１を備え、また伝送路生成部１１１と接続情報解析部１２０が、第１の実施形態と一部異なる処理を行なう。それ以外については、第１の実施形態の処理と同様である。
【００４６】
図５で示す移動端末１００において、伝送路生成部１１１は、第１の実施形態における伝送路生成部１１１の処理に加え、移動端末１００がモビリティ管理ノード５００に対し接続要求を送信する際に、ＱｏＳ優先度クラス情報や課金情報などの通信ポリシーを併せて通知する処理を行なう。通信ポリシーを取得したモビリティ管理ノード５００は、通信ポリシーをアクセスＧＷ４００とアンカーＧＷ２００を経由してポリシー制御ノード３００に通知する。これにより、ポリシー制御ノード３００の処理によって、アンカーＧＷから移動端末１００までのパケット転送の通信ポリシーが設定される。伝送路生成部１１１が接続要求時に送信する通信ポリシーは、通信ポリシー設定部１３１から取得する。
【００４７】
また第２の実施形態における接続情報解析部１２０は、第１の実施形態の接続情報解析部１２０の処理に加え、情報取得インターフェース１１０から取得した媒体記憶情報に複数の通信設定情報が含まれていても、それを解析して抽出する処理を行なう。また、接続情報解析部１２０は、情報取得インターフェース１１０から取得した情報に通信ポリシーに関する情報が格納されていた場合、通信ポリシーに関する情報を抽出して通信ポリシー設定部１３１に通知する処理を行なう。
【００４８】
図６は第２の実施形態による情報媒体に格納される媒体記憶情報のデータフォーマットを示す図である。
図６は、情報取得インターフェース１１０が情報媒体から取得した媒体記憶情報のデータフォーマットである。本データフォーマットには、ＱoＳに関する設定領域が設けられている。例えば、図６で示すように、情報識別エリアに“ｑｏｓ：”が格納されている場合、次のエリアにはＱoＳクラスを示す数値が格納されている。
通信ポリシー設定部１３１は、接続情報解析部１２０から取得した通信ポリシーの情報を伝送路生成部１１１へ通知する。
【００４９】
図７は第２の実施の形態における、移動端末が情報媒体から情報を受信した際の動作を示すフローチャートを示す図である。
次に、図７のフローチャートを用いて本発明の第２の実施形態による移動端末１００の動作を説明する。
まず情報取得インターフェース１１０が情報媒体から媒体記憶情報を読み取り（ステップＳ２００）、当該媒体記憶情報を接続情報解析部１２０に送信する。次に、接続情報解析部１２０は、取得した媒体記憶情報のフォーマットが、通信設定情報であり、正しいフォーマットかチェックする（ステップＳ２０１）。図６のデータフォーマットを用いて説明すると、先頭８バイトのエリアに“ｎｅｔ：：”があるか、また、情報識別子エリアの内容は正しいか、情報識別子エリアの次のデータエリアの内容は正しいか等をチェックする。
【００５０】
そして、チェックした結果、正しい通信設定情報のフォーマットであると判定した場合、接続情報解析部１２０は、取得した媒体記憶情報から接続先のアンカーＧＷ４００の識別子の情報を抽出し（ステップＳ２０２）、接続先アンカーＧＷ設定部１３０に送信する。なお、アンカーＧＷ４００の情報は、図６のデータフォーマットを用いて説明すると、“ａｐｎ：”エリアの次の“ｓｅｒｖｉｃｅｎｅｔ．ｃｏｍ”という情報である。そして、接続先アンカーＧＷ設定部１３０は、接続情報解析部１２０から取得した接続先のアンカーＧＷの情報を伝送路生成部１１１へ通知する（ステップＳ２０３）。
【００５１】
また接続情報解析部１２０は、情報媒体より取得した媒体記憶情報から通信ポリシーの情報を抽出し（ステップＳ２０４）、通信ポリシー設定部１３１に送信する。図６のデータフォーマットを用いて説明すると、“ｑｏｓ：”エリアの次の“６”が通信ポリシーの情報である。そして、通信ポリシー設定部１３１は、接続情報解析部１２０から取得した通信ポリシーの情報を伝送路生成部１１１へ通知する。そして、伝送路生成部１１１は、接続するか否かの判断を求める画像を移動端末１００の画面に出力し、その結果、ユーザからの接続要求を開始する旨の入力を受け付けると、ステップＳ２０３で通知を受けたアンカーＧＷの情報と、ステップＳ２０４で抽出した通信ポリシーの情報とを格納した接続要求を、モビリティ管理ノード５００に対し送信する（ステップＳ２０５）。そして、コアネットワーク１０では、移動端末１００と接続要求に格納されているアンカーＧＷ２００との間の伝送路を確立し、また、ポリシー制御ノード３００の処理により、接続要求に格納された通信ポリシーでアンカーＧＷ２００と移動端末１００との間の通信が行なわれる。
なお、上述のステップＳ２０１において、取得した媒体記憶情報のフォーマットが、通信設定情報であると判定されなかった場合には、接続情報解析部１２０は、情報取得インターフェース１１０の受信したデータが通信設定情報ではないと判断し、フォーマットエラーの通知を行う（ステップＳ２０６）。通知先は移動端末１００の実装方法毎に異なり、移動端末１００の画面に表示させる事も可能である。
【００５２】
＜第３の実施形態＞
図８は第３の実施形態における移動端末を示す図である。
次に、第３の実施形態における移動端末の処理について説明する。
第３の実施形態では、移動端末１００が、第１の実施形態の接続先アンカーＧＷ設定部１３０の代わりに、接続先アンカーＧＷ登録部１３５を備える。接続先アンカーＧＷ登録部１３５は、接続情報解析部１２０が解析した結果に接続先のアンカーＧＷ２００に関する情報、つまりアンカーＧＷ識別子が含まれていた場合、取得したアンカーＧＷ識別子をアンカーＧＷ管理ＤＢ１０３に登録し、さらにアンカーＧＷ選択部１０４へ通知する処理を行なう。それ以外の移動端末１００の処理部については、第１の実施形態と同様である。
【００５３】
図９は第３の実施の形態における、移動端末が情報媒体から情報を受信した際の動作を示すフローチャートを示す図である。
次に図９を用いて、第３の実施形態における移動端末１００が、情報取得インターフェース１１０を介して情報媒体から媒体記憶情報を取得した際の処理を示している。
まず、第１の実施形態と同様に、情報取得インターフェース１１０が、情報媒体から媒体記憶情報を読み取り（ステップＳ３００）、その読み取った媒体記憶情報を接続情報解析部１２０に送信する。次に、接続情報解析部１２０は、取得した媒体記憶情報のフォーマットが、通信設定情報を示しており、正しいフォーマットであるかをチェックする（ステップＳ３０１）。
【００５４】
次に、ステップＳ３０１の結果、正しい通信設定情報のフォーマットであると判定した場合、接続情報解析部１２０は、取得したデータから接続先のアンカーＧＷの情報を抽出し（ステップＳ３０２）、接続先アンカーＧＷ登録部１３５に送信する。そして、接続先アンカーＧＷ登録部１３５は、接続情報解析部１２０から取得した接続先のアンカーＧＷの情報（アンカーＧＷ識別子）を、アンカーＧＷ管理ＤＢ１０３に登録する（ステップＳ３０３）。次に、接続先アンカーＧＷ登録部１３５が、接続情報解析部１２０から取得した接続先のアンカーＧＷの情報（アンカーＧＷ識別子）をアンカーＧＷ選択部１０４へ通知する。そして、アンカーＧＷ選択部１０４は、取得したアンカーＧＷ識別子を、外部ネットワーク２０との接続時に、使用するアンカーＧＷ識別子として選択し、伝送路生成部１１１へ通知する。そして、伝送路生成部１１１は、接続するか否かの判断を求める画像を移動端末１００の画面に出力し、その結果、ユーザからの接続要求を開始する旨の入力を受け付けると、ステップＳ３０３で通知を受けたアンカーＧＷの情報を格納した接続要求を、モビリティ管理ノード５００に対し送信する（ステップＳ３０４）。これにより、コアネットワーク１０では、移動端末１００と接続要求に格納されているアンカーＧＷ２００との間の伝送路を確立し、接続要求に格納された通信ポリシーでアンカーＧＷ２００と移動端末１００との間の通信が行なわれる。
【００５５】
なお、アンカーＧＷ管理部ＤＢ１０３にアンカーＧＷの情報（アンカーＧＷ識別子）が登録された後は、情報媒体からの媒体記憶情報を取得せずに、ユーザからの接続要求の指示の入力に基づいて、アンカーＧＷ選択部１０４がアンカーＧＷ管理ＤＢ１０３からアンカーＧＷ識別子を読み取り、伝送路生成部１１１へ通知する。そして、伝送路生成部１１１は、通知を受けたアンカーＧＷの情報を格納した接続要求を、モビリティ管理ノード５００に対し送信し、移動端末１００と接続要求に格納されているアンカーＧＷ２００との間の伝送路を確立される。つまり、移動端末１００は、情報媒体なしに、ユーザからの接続要求の入力のみでアンカーＧＷ２００との間の伝送路を確立し外部ネットワーク２０へ接続することができる。
上述のステップＳ３０１において、取得した媒体記憶情報のフォーマットが、通信設定情報であると判定されなかった場合には、接続情報解析部１２０は、情報取得インターフェース１１０の受信したデータが通信設定情報ではないと判断し、フォーマットエラーの通知を行う（ステップＳ３０５）。通知先は移動端末１００の実装方法毎に異なり、移動端末１００の画面に表示させる事も可能である。
【００５６】
＜第４の実施形態＞
図１０は第４の実施形態における移動端末を示す図である。
次に、第４の実施形態における移動端末の処理について説明する。
第４の実施形態では、移動端末１００が、伝送路生成部１１１と接続先アンカーＧＷ設定部１３０の処理において、第１の実施形態と一部異なる処理を行なう。
ここで、伝送路生成部１１１は、本発明の第１の実施形態の伝送路生成部１１１の処理に加え、さらに、接続先アンカーＧＷ設定部１３０から接続先アンカーＧＷの情報と接続開始通知を取得し、当該取得した接続先アンカーＧＷの情報に基づいて伝送路の生成を開始する処理を行なう。
また、接続先アンカーＧＷ設定部１３０は、本発明の第１の実施形態の接続先アンカーＧＷ設定部１３０の処理に加え、接続情報解析部１２０から接続先のアンカーＧＷの情報（アンカーＧＷ識別子）を取得した際に、伝送路生成部１１１へ接続先のアンカーＧＷの情報と接続開始通知を送信する処理を行なう。
それ以外については、第１の実施形態と同じである。
【００５７】
図１１は第４の実施形態における、移動端末が情報媒体から情報を受信した際の動作を示すフローチャートを示す図である。
第４の実施形態における移動端末１００は、まず、情報取得インターフェース１１０が、情報媒体から媒体記憶情報を読み取り（ステップＳ４００）、その媒体記憶情報を接続情報解析部１２０に送信する。次に、接続情報解析部１２０は、取得した媒体記憶情報のフォーマットが、通信設定情報を示しており、正しいフォーマットであるかをチェックする（ステップＳ４０１）。次に、ステップＳ４０１の結果、正しい通信設定情報のフォーマットであると判定した場合、接続情報解析部１２０は、取得したデータから接続先のアンカーＧＷの情報を抽出し（ステップＳ４０２）、接続先アンカーＧＷ設定部１３０に送信する。以上のステップＳ４００〜４０２までは第１の実施形態と同様である。
【００５８】
そして、次に、接続先アンカーＧＷ設定部１３０が接続情報解析部１２０から取得した接続先のアンカーＧＷの情報（アンカーＧＷ識別子）と接続開始通知を、伝送路生成部１１１に送信する（ステップＳ４０３）。そして、伝送路生成部１１１は、接続先アンカーＧＷ設定部１３０から接続先アンカーＧＷの情報と接続開始通知を取得すると、接続するか否かの判断を求める画像の移動端末１００の画面への出力や、ユーザからの接続要求を開始する旨の入力無しに、直ちに取得した接続先アンカーＧＷの情報に基づいて伝送路の確立の処理を開始する（ステップＳ４０４）。また、この伝送路の確立の処理を開始する際に、ユーザに接続の有無の問い合わせを行う事も可能である。伝送路の確率の処理において、伝送路生成部１１１は、ステップＳ４０２で通知を受けたアンカーＧＷの情報を格納した接続要求を、モビリティ管理ノード５００に対し送信する。これにより、コアネットワーク１０では、移動端末１００と接続要求に格納されているアンカーＧＷ２００との間の伝送路を確立し、接続要求に格納された通信ポリシーでアンカーＧＷ２００と移動端末１００との間の通信が行なわれる。
なお、上述のステップＳ４０１において、取得した媒体記憶情報のフォーマットが、通信設定情報であると判定されなかった場合には、接続情報解析部１２０は、情報取得インターフェース１１０の受信したデータが通信設定情報ではないと判断し、フォーマットエラーの通知を行う（ステップＳ４０５）。通知先は移動端末１００の実装方法毎に異なり、移動端末１００の画面に表示させる事も可能である。
以上により、移動端末１００は、情報媒体に格納されていた接続先アンカーＧＷの情報に基づいて、情報媒体から情報を取得したタイミングで外部ネットワーク２０へ接続する事が可能となる。
【００５９】
＜第５の実施形態＞
図１２は第５の実施形態における移動端末を示す図である。
次に、第５の実施形態における移動端末の処理について説明する。
第５の実施形態では、移動端末１００が、接続情報解析部１２０の処理において第４の実施形態と一部異なる処理を行なう。また、移動端末１００が、新たにアプリケーション実行部１３１を備える。
ここで接続情報解析部１２０は、情報取得インターフェース１１０から取得した情報から、アプリケーションの実行に関する情報を抽出し、当該抽出した情報をアプリケーション実行部１３１へ通知する処理を行なう。
また、アプリケーション実行部１３１は、接続情報解析部１２０から取得したアプリケーションの実行に関する情報を取得すると、取得した情報に基づいてアプリケーションを実行する処理を行なう。
【００６０】
なお、アプリケーションの実行に関する情報とは、移動端末１００が情報媒体から取得したアンカーＧＷの情報に基づいて、コアネットワーク１０を介して外部ネットワーク２０に接続した後、当該接続した外部ネットワーク２０上のサービスを利用するために移動端末１００上で動作するアプリケーションに関する情報である。アプリケーションの実行に関する情報の具体的な例を挙げると、外部ネットワーク２０上で利用するサービスがＷｅｂサービスの場合、ＷｅｂサービスのＵＲＬ（ＵｎｉｆｏｒｍＲｅｓｏｕｒｃｅ Ｌｏｃａｔｏｒ）やＷｅｂサービスにログインするためのユーザＩＤとパスワードである。またメールサービスの場合、アプリケーションの実行に関する情報とは、例えば、接続先のメールサーバと送信先のメールアドレスなどである。
【００６１】
図１３は第５の実施の形態における、情報媒体に格納されている媒体記憶情報のデータフォーマットを示す図である。
図１４は第５の実施の形態における情報媒体に格納されている情報識別子エリアが“ａｐｒ：”の場合のデータフォーマットを示す図である。
図１３は第５の実施の形態における情報取得インターフェース１１０が情報媒体から取得した情報のデータフォーマットである。図１３で示すように、本データフォーマットには、アプリケーションの実行に関する設定領域が設けられている。例を挙げると、情報識別エリアが“ａｐｒ：”の場合、次のエリアにはアプリケーションの実行に関する内容が格納されている。図１４は、情報識別エリアが“ａｐｒ：”の場合の、次のエリア（データエリア）に関するフォーマットを示している。“ａｐｒ：”の次のエリア（データエリア）は、複数のアプリケーションに対応するためにさらに３つのエリアに分かれている。このエリアは、データ長を示すデータ長エリア、アプリケーションを識別するアプリ識別エリア、アプリケーションの識別に応じたアプリデータエリアである。
【００６２】
図１５は第５の実施形態における、移動端末が情報媒体から情報を受信した際の動作を示すフローチャートを示す図である。
次に図１５のフローチャートを用いて第５の実施形態における移動端末１００が、情報取得インターフェース１１０を介してデータを取得した際の処理について説明する。
第５の実施形態における移動端末１００は、まず、情報取得インターフェース１１０が、情報媒体から媒体記憶情報を読み取り（ステップＳ５００）、その読み取った媒体記憶情報を接続情報解析部１２０に送信する。次に、接続情報解析部１２０は、取得した媒体記憶情報のフォーマットが、通信設定情報であり、正しいフォーマットであるかをチェックする（ステップＳ５０１）。例えば、図１３を用いて説明すると、先頭８バイトのエリアに“ｎｅｔ：：”があるか、情報識別子エリアの内容は正しいか、情報識別子エリアの次のデータエリアの内容は正しいか等をチェックする。そして、チェックした結果、正しい通信設定情報のフォーマットであると判定した場合、接続情報解析部１２０は、取得したデータから、接続先のアンカーＧＷの情報とアプリケーションの実行に関する情報を抽出し（ステップＳ５０２）、接続先のアンカーＧＷの情報を接続先アンカーＧＷ設定部１３０に送信し、またアプリケーションの実行に関する情報をアプリケーション実行部１３７に送信する。なお、アプリケーションの実行に関する情報の抽出処理においては、取得した媒体記憶情報内の情報識別子エリアの“ａｐｎ：”の次のエリア（データエリア）を接続先のアンカーＧＷの情報として抽出し、また、当該取得した媒体記憶情報内の情報識別子エリアの“ａｐｒ：”の次のエリア（データエリア）をアプリケーションの実行に関する情報として抽出する。
【００６３】
次に、接続先アンカーＧＷ設定部１３０が接続情報解析部１２０から取得した接続先のアンカーＧＷの情報（アンカーＧＷ識別子）と接続開始通知を、伝送路生成部１１１へ送信する（ステップＳ５０３）。また、伝送路生成部１１１は、接続先アンカーＧＷ設定部１３０から接続先アンカーＧＷの情報と接続開始通知を取得すると、当該取得した接続先アンカーＧＷの情報に基づいて、伝送路の確立の処理を開始する（ステップＳ５０４）。この伝送路の確立の処理を開始する際に、ユーザに接続の有無の問い合わせを行う事も可能である。伝送路の確率の処理において、伝送路生成部１１１は、ステップＳ５０３で通知を受けたアンカーＧＷの情報を格納した接続要求を、モビリティ管理ノード５００に対し送信する。これにより、コアネットワーク１０では、移動端末１００と接続要求に格納されているアンカーＧＷ２００との間の伝送路を確立し、接続要求に格納された通信ポリシーでアンカーＧＷ２００と移動端末１００との間の通信が行なわれる。
また、アプリケーション実行部１３７は、接続情報解析部１２０から取得したアプリケーションの実行に関する情報、つまり情報識別エリア“ａｐｒ：”の次のエリア（データエリア）の情報を取得すると、当該取得したアプリケーションの実行に関する情報に基づいてアプリケーションを実行する（ステップＳ５０５）。
【００６４】
一方、ステップＳ５０１において、チェックした結果、正しい通信設定情報のフォーマットであると判定されなかった場合は、接続情報解析部１２０は、情報取得インターフェース１１０の受信したデータが通信設定情報ではないと判断し、フォーマットエラーの通知を行う。通知先は移動端末１００の実装方法毎に異なり、移動端末１００の画面に表示させる事も可能である。
これにより、移動端末１００は、情報媒体に格納されていた接続先アンカーＧＷの情報とアプリケーションの実行に関する情報に基づいて、情報媒体から情報を取得したタイミングで外部ネットワーク２０へ接続し、さらに、アプリケーションを実行する事が可能となる。
なお、上述のステップＳ５０１において、取得した媒体記憶情報のフォーマットが、通信設定情報であると判定されなかった場合には、接続情報解析部１２０は、情報取得インターフェース１１０の受信したデータが通信設定情報ではないと判断し、フォーマットエラーの通知を行う（ステップＳ５０６）。通知先は移動端末１００の実装方法毎に異なり、移動端末１００の画面に表示させる事も可能である。
【００６５】
＜第６の実施形態＞
図１９は第６の実施形態における移動端末を示す図である。
次に、第６の実施形態における移動端末の処理について説明する。
第６の実施形態では、移動端末１００が、複数のＵＩＣＣスロット１４０を備えている。そして、移動端末１００において、第１の実施の形態のアンカーＧＷ管理ＤＢ１０３の代わりに、アンカーＧＷ−ＵＩＣＣ管理ＤＢ１５０を備え、また、第１の実施形態の接続先アンカーＧＷ設定部１３０の代わりに接続先アンカーＧＷ選択・設定部１３８を備え、また、アンカーＧＷ選択部１０４の変わりに、新たに利用ＵＩＣＣ選択・通知部１７０を備える。第１の実施形態の接続情報解析部１２０は本実施例の移動端末１００では備えていない。それ以外については、第１の実施形態の構成と同じである。また本実施形態においては、情報媒体としてＵＩＣＣ１８０を明示的に示す。
【００６６】
ここで、ＵＩＣＣ１８０は、既存のＵＩＣＣ（Universal IC Card）である。
また、ＵＩＣＣスロット１４０は、第１の実施形態の情報取得インターフェース１１０に相当する機能ではある。本実施形態ではＵＩＣＣ１８０を用いるのが前提のため、インターフェース１１０に代えて、明示的にＵＩＣＣスロットとする。また本実施形態ではＵＩＣＣスロット１４０が複数設けられているものとする。なお、従来のモバイル端末でも複数のＵＩＣＣスロットが設けられている端末は存在する。
【００６７】
また、アンカーＧＷ−ＵＩＣＣ管理ＤＢ１５０は、アンカーＧＷ識別子とＵＩＣＣを一意に識別する情報を結びつけて記憶するＤＢである。ここで、ＵＩＣＣを一意に識別する情報とは、ＵＩＣＣの中に格納されている情報であり、ＩＭＳＩ（ＩｎｔｅｒｎａｔｉｏｎａｌＭｏｂｉｌｅ Ｓｕｂｓｃｒｉｂｅｒ Ｉｄｅｎｔｉｔｙ）：移動加入者識別子、ＭＳＩＳＤＮ (Ｍｏｂｉｌｅ ＳｕｂｓｃｒｉｂｅｒＩＳＤＮ Ｎｕｍｂｅｒ)：移動加入者番号、ＩＳＩＭ（ＩＭＳ Ｓｕｂｓｃｒｉｂｅｒ Ｉｄｅｎｔｉｔｙ Ｍｏｄｕｌｅ）内にあるプライベートユーザ識別子などである。アンカーＧＷ−ＵＩＣＣ管理ＤＢ１５０は、アンカーＧＷ識別子と当該識別子のアンカーＧＷ２００を利用する際に用いるＵＩＣＣ１８０の情報とを予め対応付けて記憶している。そして、アンカーＧＷ−ＵＩＣＣ管理ＤＢ１５０は、アンカーＧＷ識別子をキーとして、そのアンカーＧＷ２００との伝送路確立時に利用するＵＩＣＣ１８０を知りたいという問い合わせがあれば、アンカーＧＷ識別子に対応したＵＩＣＣ１８０を一意に識別する情報を問い合わせ元の処理部へ通知し、ＵＩＣＣを一意に識別する情報をキーとして、そのＵＩＣＣを利用する際に通信するアンカーＧＷ２００のアンカーＧＷ識別子を知りたいという問い合わせがあればＵＩＣＣを一意に識別する情報に対応したアンカーＧＷ識別子を通知する処理を行なう。
【００６８】
また、利用ＵＩＣＣ選択・通知部１７０は、移動端末１００のＵＩＣＣスロット１４０に複数のＵＩＣＣ１８０が挿入されている場合、どのＵＩＣＣ１８０を利用して通信するかを選択し、利用するＵＩＣＣ１８０が選択されると、当該利用するＵＩＣＣ１８０を一意に識別する情報を接続先アンカーＧＷ選択・設定部１３８へ通知する。利用するＵＩＣＣを選択する方法としては、利用ＵＩＣＣ選択・通知部１７０にユーザインターフェースが搭載されていてユーザが選択してもよいし、また、利用するＵＩＣＣを選択する条件があらかじめ設定されていて条件によって自動的に利用するＵＩＣＣを選択するようにしてもよい。
【００６９】
また、接続先アンカーＧＷ選択・設定部１３８は、利用ＵＩＣＣ選択・通知部１７０から通信に利用するＵＩＣＣ１８０を一意に識別する情報を取得すると、アンカーＧＷ−ＵＩＣＣ管理ＤＢ１５０へＵＩＣＣ１８０を一意に識別する情報をキーとして問い合わせ、該当するアンカーＧＷ識別子を取得し、取得したアンカーＧＷ識別子を伝送路生成部１１１に通知する機能を持つ。
【００７０】
図２０は第６の実施形態における、移動端末が情報媒体から情報を受信した際の動作を示すフローチャートを示す図である。
次に図２０のフローチャートを用いて第６の実施形態における処理について説明する。
本実施形態においては、移動端末１００の複数のＵＩＣＣスロット１４０にＵＩＣＣ１８０が挿入されている状態において、利用ＵＩＣＣ選択・通知部１７０によって通信に用いるＵＩＣＣ１８０が選択され、伝送路生成時に指定する接続先アンカーＧＷを決定する。
まず、利用ＵＩＣＣ選択・通知部１７０が、通信に利用するＵＩＣＣ１８０を選択する（ステップＳ７００）。次に、利用ＵＩＣＣ選択・通知部１７０は、ステップＳ７００において選択したＵＩＣＣ１８０を一意に識別する情報を、接続先アンカーＧＷ選択・設定部１３８へ通知する（ステップＳ７０１）。そして、接続先アンカーＧＷ選択・設定部１３８は、ステップＳ７０１によって取得したＵＩＣＣを一意に識別する情報を検索キーとして、接続先アンカーＧＷを取得する問い合わせをアンカーＧＷ−ＵＩＣＣ管理ＤＢ１５０へ行い（ステップＳ７０２）、その結果、アンカーＧＷ−ＵＩＣＣ管理ＤＢ１５０より、問い合わせ結果である接続先アンカーＧＷの識別子を取得する（ステップＳ７０３）。
【００７１】
次に、接続先アンカーＧＷ選択・設定部１３８は、ステップＳ７０３で取得した接続先アンカーＧＷの識別子を伝送路生成部１１１へ通知する（ステップＳ７０４）。そして、伝送路生成部１１１は、接続先アンカーＧＷ選択・設定部１３８から接続先アンカーＧＷの情報を取得すると、当該取得した接続先アンカーＧＷの情報に基づいて、伝送路の確立の処理を開始する（ステップＳ７０５）。伝送路の確率の処理において、伝送路生成部１１１は、ステップＳ７０４で通知を受けたアンカーＧＷの情報を、モビリティ管理ノード５００に対し送信する。これにより、コアネットワーク１０では、移動端末１００と接続要求に格納されているアンカーＧＷ２００との間の伝送路を確立し、接続要求に格納された通信ポリシーでアンカーＧＷ２００と移動端末１００との間の通信が行なわれる。
以上により、移動端末１００において、通信に利用するＵＩＣＣ１８０を選択する事により、伝送路生成時の接続先アンカーＧＷとしてアンカーＧＷ−ＵＩＣＣ管理ＤＢ１５０に格納されているＵＩＣＣに対応したアンカーＧＷが選択される。
【００７２】
＜第７の実施形態＞
図２１は第７の実施形態における移動端末を示す図である。
次に、第７の実施形態における移動端末の処理について説明する。
第７の実施形態においては、移動端末１００は、アンカーＧＷ情報の格納されたＵＩＣＣ１８０を挿入するだけで、第６の実施形態におけるアンカーＧＷ−ＵＩＣＣ管理ＤＢ１５０へアンカーＧＷ識別子とＵＩＣＣを一意に識別する情報とが対応付けられて登録される。
ここで、第７の実施形態では、第６の実施形態の移動端末１００に、アンカーＧＷ−ＵＩＣＣ登録部１６０がさらに備えられ、ＵＩＣＣ１８０の代わりにアンカーＧＷ情報の格納されたＵＩＣＣ１８１が挿入される。それ以外の構成については、第６の実施形態と同じである。
【００７３】
そして、図２１で示すように、本実施形態の移動端末１００において、ＵＩＣＣ１８１は、既存のＵＩＣＣに接続先のアンカーＧＷの識別子が格納される領域が設けられており、当該格納領域にアンカーＧＷの識別子が格納されている。
また、アンカーＧＷ−ＵＩＣＣ登録部１６０は、ＵＩＣＣスロット１４０に挿入されたＵＩＣＣ１８１からアンカーＧＷ識別子とＵＩＣＣを一意に識別する情報を抽出し、アンカーＧＷ−ＵＩＣＣ管理ＤＢ１５０へ、それら抽出した情報を対応付けて登録する。
以上により、ＵＩＣＣ１８１を移動端末１００に装着する事で、アンカーＧＷ−ＵＩＣＣ管理ＤＢ１５０にアンカーＧＷ識別子とＵＩＣＣを一意に識別する情報を結びつけて登録することが可能となる。そして、実施形態６と同様の処理が行なわれる。
【００７４】
以上、本発明の第１〜第７の実施形態による移動通信システムの移動端末１００の処理について説明したが、上述の処理によれば、ユーザが接続したい外部ネットワーク２０のアンカーＧＷ２００の情報が格納されている情報媒体を近づける、または装着するという作業だけで、移動端末１００の接続先のアンカーＧＷ２００が選択されて、当該アンカーＧＷ２００との伝送路が確立され、そのアンカーＧＷ２００が接続される外部ネットワーク２００との通信接続を行なうことができるため、ユーザが接続先の外部ネットワークを切り替える際にユーザが設定すべき手順を簡略化させる事ができる。
また、情報媒体に格納する情報に、課金情報や通信品質などの通信ポリシー情報を追加する事により、ユーザが接続したい外部ネットワーク２００の接続情報が格納されている情報媒体を移動端末に近づけるまたは装着するという作業だけで、移動端末１００が外部ネットワーク２００に接続する際に通信ポリシーの設定も同時に行う事が可能となる。
また、情報媒体に格納する情報に、サービスに接続するための情報（起動アプリケーション名、接続先ＵＲＬ、ユーザＩＤとパスワード等）を追加する事により、ユーザが接続したいモバイルネットワークの接続情報が格納されている情報媒体をモバイル端末にかざす、または装着するだけで、自動にモバイルネットワークへ接続した後に、自動にサービスへの接続・ログインも可能となる。
【００７５】
なお、上述の移動端末１００、コアネットワーク１０内の各ノードやサーバやＧＷ等は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００７６】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００７７】
（付記）前記抽出したアンカーゲートウェイ装置の識別子を、アンカーゲートウェイデータベースへ登録する接続先アンカーゲートウェイ登録部と、
を備えることを特徴とする移動通信システム。
【産業上の利用可能性】
【００７８】
ＭＶＮＯ（Ｍｏｂｉｌｅ Ｖｉｒｔｕａｌ Ｎｅｔｗｏｒｋ Ｏｐｅｒａｔｏｒ）と呼ばれる、モバイルネットワーク事業者から無線ネットワークや中継網を借り受けてユーザへサービスを提供する事業者が、ＭＶＮＯがサービスに応じたネットワーク環境を自前で構築する事により、スケールメリットが必要な大手キャリアではできないきめ細かいサービスを提供し始めている。きめ細かいサービスの例としては、サービス利用の通信品質の確保、接続範囲の制御、自由な課金形態などである。
今後、移動端末がネットワークサービスの種類によって接続先のＭＶＮＯを切り替えるために、アンカーＧＷを切り替えていく状況が考えられる。
また、ＮＦＣ（Ｎｅａｒ Ｆｉｅｌｄ Ｃｏｍｍｕｎｉｃａｔｉｏｎ）の様な近距離通信の機能が搭載された携帯電話が普及しており、ＮＦＣを活用したサービスが広まりつつある。本発明は、ＮＦＣのような近距離通信を活用した情報媒体と移動端末の技術であるため、今後利用される可能性が高いと考えられる。
【符号の説明】
【００７９】
１０・・・コアネットワーク
２０・・・外部ネットワーク
１００・・・移動端末
２００・・・アンカーＧＷ
３００・・・ポリシー制御ノード
４００・・・アクセスＧＷ
５００・・・モビリティ管理ノード
６００・・・無線基地局
７００・・・認証サーバ
【図１】
0005614036.tif 000002
【図２】
0005614036.tif 000003
【図３】
0005614036.tif 000004
【図４】
0005614036.tif 000005
【図５】
0005614036.tif 000006
【図６】
0005614036.tif 000007
【図７】
0005614036.tif 000008
【図８】
0005614036.tif 000009
【図９】
0005614036.tif 000010
【図１０】
0005614036.tif 000011
【図１１】
0005614036.tif 000012
【図１２】
0005614036.tif 000013
【図１３】
0005614036.tif 000014
【図１４】
0005614036.tif 000015
【図１５】
0005614036.tif 000016
【図１６】
0005614036.tif 000017
【図１７】
0005614036.tif 000018
【図１８】
0005614036.tif 000019
【図１９】
0005614036.tif 000020
【図２０】
0005614036.tif 000021
【図２１】
0005614036.tif 000022